(57)【要約】【課題】第１の回転ブラシの回転駆動力が第２の回転ブラシに確実に伝達され、第２の回転ブラシを連続的に円滑に回転駆動させ、進退移動時の走行性能と塵埃除去性能に優れた掃除機用吸込具および電気掃除機を提供する。【解決手段】長手方向に沿って複数条の第１の清掃片３１を有し、電動機２４により回転駆動される第１の回転ブラシ３０と、長手方向に沿って複数条の第２の清掃片３６を有する第２の回転ブラシ３５とを備え、第２の回転ブラシ３５の軸芯材３７に、周面から外方に突出させた複数対の保持条部３７ａと、対をなす保持条部３７ａの間に第２の清掃片３６を保持する溝条部３７ｂとが形成され、第１の回転ブラシ３０が回転駆動されるのに伴い、第２の回転ブラシ３５の保持条部３７ａが第１の清掃片３１によって回転方向の背面側から押圧されることにより、第２の回転ブラシ３５が回転駆動されるものである。【選択図】図７
2008220520.tif 000002
【特許請求の範囲】
【請求項１】
周面の長手方向に沿って複数条の第１の清掃片を有する第１の回転ブラシと、
前記第１の回転ブラシと平行に配され、周面の長手方向に沿って複数条の第２の清掃片を有する第２の回転ブラシと、
前記第１の回転ブラシを回転駆動する駆動源とを備え、
前記第２の回転ブラシの環状または棒状の軸芯材には、該軸芯材の周面から外方に突出させた複数対の保持条部と、該複数対の保持条部の対をなす保持条部の間に前記第２の清掃片を保持する溝条部とが形成され、
前記第２の回転ブラシの前記保持条部が、前記駆動源による前記第１の回転ブラシの回転駆動に伴い、前記第１の回転ブラシの前記第１の清掃片によって回転方向の背面側から押圧されることにより、前記第２の回転ブラシが前記第１の回転ブラシにより回転駆動されることを特徴とする掃除機用吸込具。
【請求項２】
前記第２の回転ブラシの前記保持条部における前記第１の清掃片によって押圧される面が、その背面側の基端部と前記第２の回転ブラシの軸中心とを通る直線に対して回転方向側に１０〜６０度の範囲で傾斜していることを特徴とする請求項１に記載の掃除機用吸込具。
【請求項３】
前記第１の回転ブラシにおける第１の清掃片の長さは、その先端が前記第２の回転ブラシの前記軸芯材の周面に略接する長さに設定されていることを特徴とする請求項１または２に記載の掃除機用吸込具。
【請求項４】
前記第２の回転ブラシにおける第２の清掃片の長さは、その先端が前記第１の回転ブラシの前記軸芯材の周面に接することのない長さに設定されていることを特徴とする請求項１〜３のいずれか１項に記載の掃除機用吸込具。
【請求項５】
前記第１の回転ブラシの軸中心から前記第１の清掃片の先端までの長さは、前記第２の回転ブラシの軸中心から前記第２の清掃片の先端までの長さよりも長く設定されていることを特徴とする請求項１〜４のいずれか１項に記載の掃除機用吸込具。
【請求項６】
前記第１の回転ブラシの環状または棒状の軸芯材には、該軸芯材の周面から外方に突出させた複数対のリブ条部と、該対をなすリブ条部の互いに対向する面から他方に向けて突出させた鍔条部と、該鍔条部の間に前記第１の清掃片を保持する溝条部とが形成され、
前記対をなすリブ条部のうち回転方向に対して背面側に位置するリブ条部から外方に突出させ、前記第１の清掃片を背面側から支持する支持条部が設けられていることを特徴とする請求項１〜５のいずれか１項に記載の掃除機用吸込具。
【請求項７】
前記支持条部の前記第１の清掃片に対向する面に、前記第１の清掃片に向けて突出させた凸部が前記第１の回転ブラシの長手方向に沿って連続的または断続的に形成されていることを特徴とする請求項６に記載の掃除機用吸込具。
【請求項８】
前記鍔条部の上面から前記支持条部の先端までの長さは、前記第１の清掃片が前記鍔条部の上面から突出する長さの０．１〜０．６倍の範囲にあることを特徴とする請求項６または７に記載の掃除機用吸込具。
【請求項９】
電動送風機と、請求項１〜８のいずれか１項に記載の掃除機用吸込具を備えた電気掃除機。
【発明の詳細な説明】
【技術分野】
【０００１】
本発明は、掃除機用吸込具および電気掃除機に関するものである。
【背景技術】
【０００２】
従来の掃除機用吸込具は、電動機等で回転駆動される１本の回転ブラシを備え、その回転ブラシの外周長手方向に設けた清掃片で、被掃除面の塵埃を掻き上げるようにしていた。しかしながら、回転ブラシが１本だけでは、十分被掃除面を清掃できないため、回転ブラシを２本平行に備えたものが発明された。ところが２本の回転ブラシのそれぞれを回転させるために電動機を２個用いると、掃除機用吸込具が重くなり、掃除機用吸込具の操作性が悪くなるという問題がある。
【０００３】
そこで、例えば、特許文献１に開示された掃除機用吸込具５０では、図１１に示すように、電動機５１で回転駆動されるとともに外周に清掃片５２を設けた第１の回転ブラシ５３と、同じく外周に清掃片５４を設けた第２の回転ブラシ５５とが平行に設けられ、清掃片５２と清掃片５４同士をオーバーラップさせて第１の回転ブラシ５３の回転力を第２の回転ブラシ５５に伝達して第２の回転ブラシ５５を回転させるようにしている。
【０００４】
また、特許文献２に開示された掃除機用吸込具６０では、図１２に示すように、回転方向および回転数を異にする複数個の回転ブラシ６１、６２が被掃除面に平行に配設され、回転ブラシ６１、６２のブレード６１ｂ、６２ｂが回転棒６１ａ、６２ａに捻って取り付けられている。そして、この掃除機用吸込具６０では、第１の回転ブラシ６１の一端が、ギア６３および、プーリ６４、ベルト６５およびプーリ６６よりなる伝達機構を介して電動機６８に接続されており、他端の回転軸端６１ｃが軸受６９により支承されている。また、第２の回転ブラシ６２は、一端がギア７０を介してギア６３に螺合し、他端の回転軸端６２ｃが軸受６９に支承されている。そして、このように構成された掃除機用吸込具６０の第１および第２の回転ブラシ６１、６２は、ギア６３、７０を介して互いに反対方向に回転されるようになっている。
【特許文献１】特開２００３−１２５９９１号公報
【特許文献２】特開平５−１１１４４９号公報
【発明の開示】
【発明が解決しようとする課題】
【０００５】
しかしながら、上記特許文献１に記載された掃除機用吸込具５０の構成では、清掃片５２、５４同士をオーバーラップさせて第１の回転ブラシ５３の回転力を第２の回転ブラシ５５に伝達して第２の回転ブラシ５５を回転させているため、特に、被掃除面が絨毯などの場合、清掃片５４が絨毯に食い込みやすくなって第２の回転ブラシ５５が回転しにくくなり、連続的な回転が得られず、掃除性能を十分発揮できないという問題があった。
【０００６】
また、清掃片５４が絨毯に食い込むことにより、第２の回転ブラシ５５に大きな負荷が加わるため、それを回転駆動する第１の回転ブラシ５３の回転力が低下したり、第１の回転ブラシ５３を回転駆動する電動機５１にも過大な負荷が加わり、電動機５１が異常に発熱したり、焼損するなどの課題があった。
【０００７】
また、上記特許文献２に記載された掃除機用吸込具６０の構成では、第１および第２の回転ブラシ６１、６２は、ギア６３、７０を介して互いに反対方向に回転されており、連続的な回転は得られるが、被掃除面が絨毯などの場合に、ブレード６１ｂ、６２ｂが絨毯に食い込みやすくなって回転しにくくなるため、ギア６３、７０や軸受６９に過大な負荷が加わり、損耗等により機械的故障を引き起こしやすいなどの問題があった。特に、掃除機用吸込具６０の場合には、第１および第２の回転ブラシ６１、６２のブレード６１ｂ、６２ｂが回転棒６１ａ、６２ａに捻って形成されているため、ギア６３、７０や軸受６９に軸方向の負荷も加わり、被掃除面の変化によってこの軸方向の負荷が変化するため、より機械的故障を引き起こしやすくなっている。
【０００８】
本発明は、前記従来の課題を解決するものであり、第第１の回転ブラシの回転駆動力が第２の回転ブラシに確実に伝達され、第２の回転ブラシを連続的に円滑に回転駆動させ、進退移動時の走行性能と塵埃除去性能に優れた掃除機用吸込具および電気掃除機を提供することを目的とする。
【課題を解決するための手段】
【０００９】
前記従来の課題を解決するために、本発明の請求項１に係る掃除機用吸込具は、周面の長手方向に沿って複数条の第１の清掃片を有する第１の回転ブラシと、前記第１の回転ブラシと平行に配され、周面の長手方向に沿って複数条の第２の清掃片を有する第２の回転ブラシと、前記第１の回転ブラシを回転駆動する駆動源とを備え、前記第２の回転ブラシの環状または棒状の軸芯材には、該軸芯材の周面から外方に突出させた複数対の保持条部と、該複数対の保持条部の対をなす保持条部の間に前記第２の清掃片を保持する溝条部とが形成され、前記第２の回転ブラシの前記保持条部が、前記駆動源による前記第１の回転ブラシの回転駆動に伴い、前記第１の回転ブラシの前記第１の清掃片によって回転方向の背面側から押圧されることにより、前記第２の回転ブラシが前記第１の回転ブラシにより回転駆動されることを特徴とするものである。
【００１０】
請求項１に係る掃除機用吸込具によれば、第１の回転ブラシの回転駆動に伴い、第１の回転ブラシの第１の清掃片が第２の回転ブラシの保持条部に背面側から当接し、これを押圧することによって第１の回転ブラシの回転駆動力が第２の回転ブラシに伝達されるので、確実に第２の回転ブラシを連続的に円滑に回転駆動させることができる。特に、第１の清掃片が第２の回転ブラシの第２の清掃片を押圧する場合に比べて、保持条部が軸芯材に形成された硬質なものであるだけに、確実に回転駆動力が伝達されることになる。
【００１１】
本発明の請求項２に係る掃除機用吸込具は、上記請求項１に記載の掃除機用吸込具において、前記第２の回転ブラシの前記保持条部における前記第１の清掃片によって押圧される面が、その背面側の基端部と前記第２の回転ブラシの軸中心とを通る直線に対して回転方向側に１０〜６０度の範囲で傾斜していることを特徴とするものである。
【００１２】
請求項２に係る掃除機用吸込具によれば、第１の清掃片によって押圧される保持条部の背面を回転方向側に傾斜させて形成しているため、第１の清掃片がこの保持条部の背面に対して大きな接触面積をもって当接し、確実に回転駆動力を伝達し、第２の回転ブラシを回転駆動させることができる。特に、この傾斜角度が１０〜６０度の範囲にあれば、第１の清掃片がこの保持条部の背面に当接する時点から、さらに第２の回転ブラシを回転駆動させる間を通じて、大きな接触面積をもって第２の回転ブラシを押圧することができるので、確実に回転駆動力を伝達する上で効果的である。
【００１３】
本発明の請求項３に係る掃除機用吸込具は、上記請求項１または２に記載の掃除機用吸込具において、前記第１の回転ブラシにおける第１の清掃片の長さは、その先端が前記第２の回転ブラシの前記軸芯材の周面に略接する長さに設定されていることを特徴とするものである。
【００１４】
請求項３に係る掃除機用吸込具によれば、第１の清掃片の長さを、その先端が第２の回転ブラシの軸芯材の周面にほぼ接する長さに設定しているので、第１の清掃片が第２の回転ブラシの軸芯材の周面に接触して保持条部を押圧する力が減じられることなく、確実に回転駆動力を第２の回転ブラシに伝達することができる。
【００１５】
本発明の請求項４に係る掃除機用吸込具は、上記請求項１〜３のいずれか１項に記載の掃除機用吸込具において、前記第２の回転ブラシにおける第２の清掃片の長さは、その先端が前記第１の回転ブラシの前記軸芯材の周面に接することのない長さに設定されていることを特徴とするものである。
【００１６】
請求項４に係る掃除機用吸込具によれば、第２の清掃片の長さは、その先端が前記第１の回転ブラシの軸芯材の周面に接することのない長さに設定しているので、第２の清掃片が第１の回転ブラシの軸芯材の周面に接触して第２の回転ブラシの回転駆動力が減じられることなく、確実に回転駆動力を第２の回転ブラシに伝達することができる。
【００１７】
本発明の請求項５に係る掃除機用吸込具は、上記請求項１〜４のいずれか１項に記載の掃除機用吸込具において、前記第１の回転ブラシの軸中心から前記第１の清掃片の先端までの長さは、前記第２の回転ブラシの軸中心から前記第２の清掃片の先端までの長さよりも長く設定されていることを特徴とするものである。
【００１８】
請求項５に係る掃除機用吸込具によれば、第１の回転ブラシの軸中心から第１の清掃片の先端までの長さを、第２の回転ブラシの軸中心から第２の清掃片の先端までの長さよりも長く設定しているので、第１の清掃片を第２の回転ブラシの保持条部に確実に当接させ、第２の清掃片を第１の回転ブラシの軸芯材に接触させることなく、第１の回転ブラシの回転駆動力を第２の回転ブラシに伝達することができる。しかも、第１の回転ブラシが被掃除面に対して強く、深く接触するため、第１の清掃片が効果的に被掃除面上の塵埃を掻き上げるとともに、掃除機用吸込具を前進する回転力を被掃除面に作用させて自走性を向上させることができる。
【００１９】
本発明の請求項６に係る掃除機用吸込具は、上記請求項１〜５のいずれか１項に記載の掃除機用吸込具において、前記第１の回転ブラシの環状または棒状の軸芯材には、該軸芯材の周面から外方に突出させた複数対のリブ条部と、該対をなすリブ条部の互いに対向する面から他方に向けて突出させた鍔条部と、該鍔条部の間に前記第１の清掃片を保持する溝条部とが形成され、前記対をなすリブ条部のうち回転方向に対して背面側に位置するリブ条部から外方に突出させ、前記第１の清掃片を背面側から支持する支持条部が設けられていることを特徴とするものである。
【００２０】
請求項６に係る掃除機用吸込具によれば、第１の回転ブラシの軸芯材に形成された対をなすリブ条部のうち回転方向に対して背面側に位置するリブ条部から外方に突出させた支持条部が設けられ、この支持条部が第１の清掃片を背面側から支持しているので、第１の清掃片が第２の回転ブラシの保持条部を背面側から押圧する際に、第１の清掃片が後方側に撓むのを抑制することができ、確実に回転駆動力を第２の回転ブラシに伝達することができる。
【００２１】
本発明の請求項７に係る掃除機用吸込具は、上記請求項６に記載の掃除機用吸込具において、前記支持条部の前記第１の清掃片に対向する面に、前記第１の清掃片に向けて突出させた凸部が前記第１の回転ブラシの長手方向に沿って連続的または断続的に形成されていることを特徴とするものである。
【００２２】
請求項７に係る掃除機用吸込具によれば、第１の回転ブラシにおいて、支持条部の第１の清掃片に対向する面に凸部を連続的または断続的に形成しているので、第１の清掃片を支持して後方側あるいは側方側に撓むのをより効果的に抑制することができ、確実に回転駆動力を第２の回転ブラシに伝達することができる。
【００２３】
本発明の請求項８に係る掃除機用吸込具は、上記請求項６または７に記載の掃除機用吸込具において、前記鍔条部の上面から前記支持条部の先端までの長さは、前記第１の清掃片が前記鍔条部の上面から突出する長さの０．１〜０．６倍の範囲にあることを特徴とするものである。
【００２４】
請求項８に係る掃除機用吸込具によれば、第１の回転ブラシにおいて、鍔条部上面から支持条部先端までの長さを、第１の清掃片が鍔条部上面から突出する長さの０．１〜０．６倍の範囲に設定しているので、第１の清掃片を、その清掃片の剛性に見合った適所で支持して、後方側に撓むのをより効果的に抑制することができ、確実に回転駆動力を第２の回転ブラシに伝達することができる。
【００２５】
本発明に係る電気掃除機は、電動送風機と、上記請求項１〜８のいずれか１項に記載の掃除機用吸込具を備えたものである。
【００２６】
このように構成した掃除機用吸込具によれば、第１の回転ブラシの回転駆動力が第２の回転ブラシに確実に伝達され、第２の回転ブラシを連続的に円滑に回転駆動させることのできる電気掃除機を提供することができる。
【発明の効果】
【００２７】
本発明の掃除機用吸込具および電気掃除機は、第１の回転ブラシを回転駆動する際に、第２の回転ブラシを連続的に円滑に回転駆動させ、進退移動時の走行性能と塵埃除去性能を大幅に向上させることができる。
【発明を実施するための最良の形態】
【００２８】
以下、本発明の掃除機用吸込具に係る最良の実施の形態について、図面に基づき説明する。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００２９】
（実施の形態１）
本発明の実施の形態１に係る掃除機用吸込具１５について、図１〜図９を用いて説明する。図１は、本発明の実施の形態１における掃除機用吸込具を接続した電気掃除機の全体斜視図である。
【００３０】
本発明の電気掃除機は、図１に示すように、掃除機本体１の後方部に、電動送風機２を内蔵した電動送風機室３が配され、掃除機本体１の前方部に、吸引された塵埃を捕集する集塵袋（図示せず）を着脱自在に収納するとともに、電動送風機２の吸引側開口と連通する集塵室４が配されている。掃除機本体１の後方下部の左右両側に、１対の走行用車輪５が水平に配された走行軸に対して回転自在に取り付けられ、また、掃除機本体１の前方下部に、同じく走行用のキャスター６が垂直な軸心周りに回動自在に、且つ水平に配された走行軸に対して回転自在に取り付けられている。掃除機本体１の前面には、吸引ホース１０の一端に設けられた接続ジョイント部１１が着脱自在に接続されるとともに、集塵室４に連通する吸気口７が設けられている。
【００３１】
吸引ホース１０の他端には、操作者が掃除の際に把持するとともに、掃除機本体１の運転を操作するための操作部１４ａを有する把手１４を備えた先端ジョイント部１２が設けられている。この吸引ホース１０の先端ジョイント部１２に、伸縮自在あるいは継ぎ自在に構成された延長管１３の手元側の一端が着脱自在に接続され、さらに、その延長管１３の先端側の他端が、本実施の形態１の掃除機用吸込具１５に着脱自在に接続される。
【００３２】
掃除機本体１の前部から両側にかけての表面に、弾性材料からなるバンパー８が延設されており、掃除機本体１の走行時に、掃除機本体１が家具、柱などに衝突してもそれらに傷を付けないようにしている。掃除機本体１の後部上面に起伏可能に設けられた本体ハンドル９は、掃除機本体１を持ち運ぶ際に把持されるものである。
【００３３】
次に、本実施の形態１における掃除機用吸込具１５の詳細な構成について、図２〜図５を用いて説明する。図２は、本発明の実施の形態１における掃除機用吸込具の外観斜視図であり、図３は、この掃除機用吸込具の底面側から見た斜視図であり、また、図４は、この掃除機用吸込具の下ケースを外し、底面側から見た平面図であり、図５は、この掃除機用吸込具の断面図（吸込具本体の左方側から見た状態）である。なお、図２以降の図において、掃除機用吸込具１５の走行方向について、把手１４を掴んだ操作者が掃除機用吸込具１５を押し進める（前進させる）方向を前方（図２において左下方向）といい、操作者が掃除機用吸込具１５を引き戻す（後退させる）方向を後方（図２において右上方向）という。また、掃除機用吸込具１５を前進させる方向に向かって右側を右方（図２において左上方向）、左側を左方（図２において右下方向）という。
【００３４】
図２に示すように、掃除機用吸込具１５の本体ケース１７は、上ケース１７ａと、底面に開口部１８を有する下ケース１７ｂから構成され、上ケース１７ａの後方中央部には、接続管１９が傾動自在に取着され、延長管１３の先端がこの接続管１９の開口端に着脱自在に嵌合固定される。また、下ケース１７ｂの外周面には、ウレタン系樹脂などの弾性材料からなるノズルバンパー２０が設けられており、家具（図示せず）などに当たったときの衝撃を和らげる機能を果たしている。
【００３５】
また、図３に示すように、下ケース１７ｂの底面には、その中央左右端近傍に走行用の前輪２１が１対、後方左右端近傍に走行用の後輪２２が１対、それぞれ回転自在に取着されている。また、開口部１８の後方中央に起伏安全スイッチ２３が起伏可能に取着され、この起伏安全スイッチ２３が被掃除面に接触し、その取着されている凹部内に倒れこんだ状態で、操作者が操作部１４ａを操作したときに、掃除機本体１の後述の第１および第２の回転ブラシ３０、３５が回転し、また、この起伏安全スイッチ２３が被掃除面から離れて凹部内から起立した状態では、操作者が操作部１４ａを操作しても、第１および第２の回転ブラシ３０、３５が回転しないように構成されている。
【００３６】
掃除機用吸込具１５の前部には、図４および図５に示すように、開口部１８から掃除機用吸込具１５の上方に向けて回転ブラシ収容空間としての回転ブラシ収容空間１８ａが形成され、この回転ブラシ収容空間１８ａの後方側は接続管１９に連通している。そして、この回転ブラシ収容空間１８ａ内の前方側に第１の回転ブラシ３０が、後方側に第１の回転ブラシ３０と平行に第２の回転ブラシ３５が収容され、それぞれ掃除機用吸込具１５に対して回転自在に、掃除機用吸込具１５の進退方向に対して垂直に軸支されている。また、掃除機用吸込具１５の回転ブラシ収容空間１８ａの後方側には、第１の回転ブラシ３０を正転方向、すなわち掃除機用吸込具１５を前進させる方向に第１の回転ブラシ３０を回転駆動する駆動源としての電動機２４が収納されている。
【００３７】
さらに、図４に示すように、第１の回転ブラシ３０の一端側（左方端部）には外周面に凹凸が形成されたプーリ２６が固着され、第２の回転ブラシ３５の一端側（左方端部）には軸芯保持材２７ａが固着されている。そして、プーリ２６の左端側に突出した図示しない回転軸を回転可能に支持するように取り付けられた連結支持材２８が、第２の回転ブラシ３５側の軸受部２８ａで第２の回転ブラシ３５に固着された軸芯保持材２７ａを回転可能に支持し、第１の回転ブラシ３０と第２の回転ブラシ３５とがこの連結支持材２８によって所定の間隔を隔てて、回転自在に保持された状態で吸込具本体１６の上ケース１７ａの左端側の適所に固定されている。また、第１の回転ブラシ３０の他端側（右方端部）および第２の回転ブラシ３５の他端側（右方端部）にはそれぞれ軸芯保持材２７ｂ、２７ｃが固着され、これらの軸芯保持材２７ｂ、２７ｃが連結軸受材２９を介して所定の間隔を隔てて、回転自在に保持された状態で吸込具本体１６の上ケース１７ａの右端側の適所に固定されている。
【００３８】
そして、電動機２４のシャフト２４ａに固着されたプーリ２４ｂと、第１の回転ブラシ３０の端部に固着されたプーリ２６との間に張架されたベルト２５を介して、電動機２４（シャフト２４ａ）の回転が第１の回転ブラシ３０に伝達されるように構成されている。
【００３９】
次に、本実施の形態１における第１および第２の回転ブラシ３０、３５の詳細な構成について、図６および図７を用いて説明する。図６は、この掃除機用吸込具の第１および第２の回転ブラシの斜視図（吸込具本体から取り外し、底面側から見た状態）であり、図７は、本発明の実施の形態１における掃除機用吸込具の第１および第２の回転ブラシの拡大断面図（吸込具本体の左方側から見た状態で、図の下方向が底面側）である。なお、図６以降の図において、矢印は、第１および第２の回転ブラシ３０、３５の回転方向を示している。
【００４０】
本実施の形態１においては、図３、図４および図６に示すように、第１の回転ブラシ３０の第１の清掃片３１が、長手方向（軸心方向）の中央側に寄るに従って回転方向に対して後退角側に変位する略Ｖ字状に形成されるとともに、第２の回転ブラシ３５の第２の清掃片３６が、第１の清掃片３１と逆形状の略Ｖ字状に形成されている。そして、後に詳しく説明するように、第１の回転ブラシ３０の回転駆動に伴い、第１の回転ブラシ３０の第１の清掃片３１が、第２の回転ブラシ３５の軸芯材３７の外周面に設けられた保持条部３７ａ（図７参照）に背面側から当接し、これを押圧することによって第１の回転ブラシ３０の回転駆動力が第２の回転ブラシ３５に伝達され、第２の回転ブラシ３５を回転駆動させることになる。しかも、第２の回転ブラシ３５の回転が、ギアなどを介さずに、第１の回転ブラシ３０の回転力を利用して行われるため、被掃除面が絨毯などの場合に、第２の回転ブラシ３５が回転しにくくなっても、第２の回転ブラシ３５を支持する連結支持材２８の軸受部２８ａや連結軸受材２９など部分に過大な負荷が加わることもなく、これらの部分で機械的故障を引き起こすこともない。
【００４１】
さらに、本実施の形態１においては、第１の清掃片３１ならびに第２の清掃片３６における略Ｖ字形状が、それぞれ第１の回転ブラシ３０および第２の回転ブラシ３５の長手方向の中間点を挟んで左右対称となるように構成されている。すなわち、第１の回転ブラシ３０および第２の回転ブラシ３５の中間点に略Ｖ字形状の頂点が位置している。そして、この略Ｖ字形状の頂点から、第１の回転ブラシ３０および第２の回転ブラシ３５の端部側に移行するにしたがって前進角側に変位する第１の清掃片３１および第２の清掃片３６の配列線を平面上に展開したときに、この配列線がほぼ直線状となっている。このように第１の清掃片３１ならびに第２の清掃片３６を構成することによって、軸方向（スラスト方向）の荷重バランスが崩れることなく、軸受部（連結支持材２８の軸受部２８ａや連結軸受材２９の軸受部）への負荷を軽減させることができ、より軽量な材料で軸受部および延いては掃除機用吸込具１５を構成することができる。さらに、掃除機用吸込具１５の走行性能を向上させることができる。
【００４２】
ここで、本実施の形態１の第１および第２の回転ブラシ３０、３５において、第１および第２の清掃片３１、３６の略Ｖ字形状の頂点は、図６に示すように、それぞれの両端が配される円周上の位置より回転方向に対して約９０°後退した位置に設定されている。
【００４３】
第１の回転ブラシ３０は、掃除機用吸込具１５の進退方向に対して垂直な方向に長く、開口部１８の左右幅寸法とほぼ同じ長さに設定された円管状の軸芯材３２と、この軸芯材３２とほぼ同じ長さに設定され、軸芯材３２に挿着される複数条（本実施の形態１においては３条）の第１の清掃片３１とを備えている。
【００４４】
軸芯材３２には、その長手方向に沿って、図７に示すように、その外周面から外方に突出する複数対のリブ条部３２ａが設けられ、対をなすリブ条部３２ａの互いに対向する面に他方に向けて突出した鍔条部３２ｂが形成されている。これにより、これらの一対のリブ条部３２ａと鍔条部３２ｂとの間に、開口部分が狭められた溝条部３２ｃが形成され、この溝条部３２ｃに第１の清掃片３１が挿着される挿着空間３３が形成されている。
【００４５】
第１の清掃片３１は、基端部３１ａと、この基端部３１ａから起毛された複数の繊維からなる繊維状部３１ｂとを備えている。そして、この第１の清掃片３１の基端部３１ａが軸芯材３２に形成された装着空間３３内に挿入、案内されて組み付けられ、第１の清掃片３１の繊維状部３１ｂが軸芯材３２の鍔条部３２ｂからその直径方向に突出している。このように、第１の清掃片３１は、基端部３１ａが装着空間３３内に挿入されることで、簡単に第１の回転ブラシ３０の軸芯材３２に組み付けられ、また、交換が必要な時には、この装着空間３３内から抜き出されることで、簡単に軸芯材３２から取り外される。
【００４６】
また、軸芯材３２の対をなすリブ条部３２ａのうち、第１の回転ブラシ３０の回転方向に対して背面側に位置するリブ条部３２ａの鍔条部３２ｂの上面に、外方に向けて突出する支持条部３２ｄが形成され、第１の清掃片３１を背面側から支持している。さらに、この支持条部３２ｄの第１の清掃片３１に対向する面に、第１の清掃片３１に向けて突出する凸部３２ｅが第１の回転ブラシ３０の長手方向に沿って連続的または断続的に形成されている。これにより、第１の清掃片３１は回転駆動される際に、背面側から支持条部３２ｄにより支持され、さらに凸部３２ｅにより拘束されて、背面側あるいは側方側に撓むのが抑制され、効果的に被掃除面上の塵埃を掻き上げるとともに、掃除機用吸込具１５を前進する回転力を被掃除面に作用させて自走性を向上させることができる。
【００４７】
また、第２の回転ブラシ３５は、第１の回転ブラシ３０と同様に、掃除機用吸込具１５の進退方向に対して垂直な方向に長く、開口部１８の左右幅寸法とほぼ同じ長さに設定された棒状の軸芯材３７と、この軸芯材３７とほぼ同じ長さに設定され、軸芯材３７に挿着される複数条（本実施の形態１においては３条）の第２の清掃片３６とを備えている。
【００４８】
軸芯材３７には、その長手方向に沿って、図７に示すように、その外周面から直径方向に突出する複数対の保持条部３７ａが設けられ、対をなす保持条部３７ａの互いに対向する基端部分が切り欠かれて、開口部分が狭められた溝条部３７ｂが形成され、この溝条部３７ｂに第２の清掃片３６が挿着される挿着空間３８が形成されている。また、対をなす保持条部３７ａにおいて、第２の回転ブラシの回転方向に対して後方側に位置する背面側の面、すなわち、第１の清掃片３１によって押圧される面が、その背面側の基端部と第２の回転ブラシの軸中心とを通る直線に対して回転方向側に１０〜６０度の範囲（図７に示す例では約４５度）で傾斜するように形状設定されている。
【００４９】
第２の清掃片３６は、基端部３６ａと、この基端部３６ａから起毛された複数の繊維からなる繊維状部３６ｂとを備えている。そして、この第２の清掃片３６の基端部３６ａが軸芯材３７に形成された装着空間３８内に挿入、案内されて組み付けられ、第２の清掃片３６の繊維状部３６ｂが軸芯材３７の溝条部３７ｂからその直径方向に突出している。このように、第２の清掃片３６は、基端部３６ａが装着空間３８内に挿入されることで、簡単に第２の回転ブラシ３５の軸芯材３７に組み付けられ、また、交換が必要な時には、この装着空間３８内から抜き出されることで、簡単に軸芯材３７から取り外される。
【００５０】
なお、第２の回転ブラシ３５の第２の清掃片３６を構成する繊維状部３６ｂが、第２の回転ブラシ３５の長手方向に沿って間引かれ、複数の繊維束として断続的に形成されていてもよい。そして、この複数の繊維束が、複数条の第２の清掃片３６において互いに幅方向（第２の回転ブラシ３５の長手方向）に重複しながらそれぞれの起毛位置がずらされ、全体として第２の回転ブラシ３５の長手方向の全幅域をカバーするように構成すればよい。これにより、第２の回転ブラシ３５が柔軟に撓むことができるので、第２の回転ブラシ３５に加わる負荷が減り、それにより第２の回転ブラシ３５を回転駆動する第１の回転ブラシ３０に加わる負荷も減り、第１および第２の回転ブラシ３０、３５を効率よく回転させることができるとともに、第１および第２の回転ブラシ３０、３５の回転により被掃除面上の塵埃を効率的に掻き上げることができるので、塵埃除去性能を大幅に向上させることができる。なお、繊維束の長手方向の長さは、上述したように、複数の繊維束が全体として第２の回転ブラシ３５の長手方向の全幅域をカバーしていればよく、長手方向に形成される配設個数との関係で任意に設定されればよい。
【００５１】
そして、このように構成された第１の回転ブラシ３０と第２の回転ブラシ３５とを有する掃除機用吸込具１５では、電動機２４（駆動源）による第１の回転ブラシ３０の回転駆動に伴い、第１の回転ブラシ３０の第１の清掃片３１が第２の回転ブラシ３５の保持条部３７ａに背面側から当接し、これを押圧することによって第１の回転ブラシ３０の回転駆動力が第２の回転ブラシ３５に伝達されるので、確実に第２の回転ブラシ３５を回転駆動させることができる。特に、第１の清掃片３１が第２の回転ブラシ３５の第２の清掃片３６を押圧する場合に比べて、保持条部３７ａが軸芯材３７に形成された硬質なものであるだけに、確実に回転駆動力が伝達されることになる。
【００５２】
特に、第１の清掃片３１によって押圧される保持条部３７ａの背面を回転方向側に傾斜させて形成しているため、第１の清掃片３１がこの保持条部３７ａの背面に対して大きな接触面積をもって当接し、確実に回転駆動力を伝達し、第２の回転ブラシ３５を回転駆動させることができる。特に、この傾斜角度が１０〜６０度の範囲にあれば、第１の清掃片３１がこの保持条部３７ａの背面に当接する時点から、さらに第２の回転ブラシ３５を回転駆動させる間を通じて、大きな接触面積をもって第２の回転ブラシ３５を押圧することができるので、確実に回転駆動力を第２の回転ブラシ３５に伝達する上で効果的である。
【００５３】
さらに、第１の回転ブラシ３０の軸芯材３２に形成された対をなすリブ条部３２ａのうち回転方向に対して背面側に位置するリブ条部３２ａ（鍔条部３１ｂ）の上面から外方に突出する支持条部３１ｄが設けられ、この支持条部３１ｄが第１の清掃片３１を背面側から支持しているので、第１の清掃片３１が第２の回転ブラシ３５の保持条部３７ａを背面側から押圧する際に、第１の清掃片３１が後方側に撓むのを抑制することができ、確実に第１の回転ブラシ３０の回転駆動力を第２の回転ブラシ３２に伝達することができる。特に、鍔条部３１ｂ上面から支持条部３１ｄ先端までの長さを、第１の清掃片３１が鍔条部３１ｂ上面から突出する長さの０．１〜０．６倍の範囲に設定すれば、第１の清掃片３１を、その清掃片３２の剛性に見合った適所で支持して、後方側に撓むのをより効果的に抑制することができ、確実に回転駆動力を第２の回転ブラシ３５に伝達する上で効果的である。
【００５４】
また、支持条部３１ｄの第１の清掃片３１に対向する面に凸部３１ｅを連続的または断続的に形成しているので、第１の清掃片３１を支持して後方側あるいは側方側に撓むのをより効果的に抑制することができ、確実に回転駆動力を第２の回転ブラシ３５に伝達する上で効果的である。
【００５５】
さらに、本実施の形態１においては、第１の清掃片３１の長さを、その先端が第２の回転ブラシ３５の軸芯材３７の周面に略接する長さに設定している。このことは、第１の回転ブラシ３０と第２の回転ブラシ３５の軸中心間の距離をＧとし、第１の回転ブラシ３０の軸中心から第１の清掃片３１の先端までの長さをＬ１、第２の回転ブラシ３５の軸中心から保持条部３７ａの基端部（軸芯材３７の周面）までの長さをＬ４、保持条部３７ａの基端部から先端部までの長さをＬ５としたとき、
−０．１≦（Ｇ−Ｌ１−Ｌ４）／Ｌ５≦０．２
の関係を満たすような寸法に第１の清掃片３１の長さを設定することを意味している。これにより、第１の清掃片３１が第２の回転ブラシ３５の軸芯材３７の周面に接触して保持条部３７ａを押圧する力が減じられることなく、確実に回転駆動力を第２の回転ブラシ３５に伝達することができる。
【００５６】
なお、第１の回転ブラシ３０の軸中心から第１の清掃片３１の先端までの長さ（Ｌ１）は、第１の回転ブラシ３０と第２の回転ブラシ３５の軸中心間の距離（Ｇ）から第２の回転ブラシ３５の軸中心から軸芯材３７の周面までの長さ（Ｌ４）を差引いた長さよりも長く（すなわち、Ｌ１＞Ｇ−Ｌ４）ても、特に支障はない。これは、第１の清掃片３１が、第１の回転ブラシ３０と第２の回転ブラシ３５の軸中心間を結ぶ直線上に回転してくる以前に、第２の回転ブラシ３５の保持条部３７ａの背面側に当接し、その背面に沿って傾斜した角度で保持条部３７ａを押圧するためである。第１の清掃片３１の長さが長く（Ｌ１＞Ｇ−Ｌ４）ても、（Ｇ−Ｌ１−Ｌ４）／Ｌ５≧−０．１であれば、第１の清掃片３１が保持条部３７ａに当接し始める時点では、第１の清掃片３１の先端が第２の回転ブラシ３５の軸芯材３７の周面に接することはなく、むしろ、このように、第１の清掃片３１が大きな面積で保持条部３７ａの背面に当接することにより、確実に回転駆動力を第２の回転ブラシ３５に伝達することができる。略接するとは、このような状態を含めて表現したものである。
【００５７】
また、第２の清掃片３６の長さは、その先端が第１の回転ブラシ３０の軸芯材３２の周面に接することのない長さに設定している。このことは、第２の回転ブラシ３５の軸中心から第２の清掃片３６の先端までの長さをＬ２、第１の回転ブラシ３０の軸中心から軸芯材３２の周面までの高さをＬ３としたときに、
Ｌ２＜Ｇ−Ｌ３
の関係を満たすような寸法に第２の清掃片３６の長さを設定することを意味している。これにより、第２の清掃片３６が第１の回転ブラシ３０の軸芯材３２の周面に接触して第２の回転ブラシ３５の回転駆動力が減じられることなく、確実に回転駆動力を第２の回転ブラシ３５に伝達することができる。
【００５８】
さらに、本実施の形態１において、第１の回転ブラシ３０の軸中心から第１の清掃片３１の先端までの長さは、第２の回転ブラシ３５の軸中心から第２の清掃片３６の先端までの長さよりも長く設定されている。これにより、第１の清掃片３１を第２の回転ブラシ３５の保持条部３７ａに確実に当接させ、第２の清掃片３６を第１の回転ブラシ３０の軸芯材３２に接触させることなく、第１の回転ブラシ３０の回転駆動力を第２の回転ブラシ３５に伝達することができる。しかも、第１の回転ブラシ３０が被掃除面に対して強く、深く接触するため、第１の清掃片３１が効果的に被掃除面上の塵埃を掻き上げるとともに、掃除機用吸込具１５を前進する回転力を被掃除面に作用させて自走性を向上させることができる。
【００５９】
次に、以上のように構成された掃除機用吸込具１５と電気掃除機（掃除機本体１）の動作、作用について、図１、図８および図９を用いて説明する。図８は、本発明の実施の形態１における掃除機用吸込具の第１および第２の回転ブラシの回転駆動状態の時間的変化を示す断面図（吸込具本体の左方側から見た状態で、図の下方向が底面側）であり、図９は、第１および第２の回転ブラシの斜視図（底面側から見た状態）と軸方向の各位置における回転駆動状態を示す断面図である。なお、図８においては、（ａ）〜（ｄ）で第１および第２の回転ブラシ３０、３５が３０°ずつ回転したときの回転駆動状態を、時間経過を追って示している。また、図９は、（ａ）が第１および第２の回転ブラシ３０、３５における右端位置での回転駆動状態を、（ｂ）が右端位置から左端側に長手方向寸法の１／６寄った位置での回転駆動状態を、（ｃ）が右端位置から左端側に長手方向寸法の１／３寄った位置での回転駆動状態を、（ｄ）が長手方向の中間位置での回転駆動状態を示している。
【００６０】
掃除機本体１から図示しない電源コードを引き出し、その先端についた電源プラグ（図示せず）を部屋のコンセントに差し込んで、把手１４に設けた操作部１４ａを操作して、電動送風機２および掃除機用吸込具１５に内蔵された電動機２４に通電すると、掃除機用吸込具１５の下ケース１７ｂの底面に設けられた開口部１８に電動送風機２による吸引力が作用し、木床や絨毯などの被掃除面上の塵埃が第１および第２の清掃片３１、３６の繊維状部３１ｂ、３６ｂにより掻き上げられ、吸引されて、延長管１３、吸引ホース１０を通って集塵室４に運ばれ、そこで捕集される。
【００６１】
先にも記したように、本実施の形態１の第１および第２の回転ブラシ３０、３５において、第１および第２の清掃片３１、３６の略Ｖ字形状の頂点は、図６に示すように、それぞれの両端が配される円周上の位置より回転方向に対して約９０°後退した長手方向の中間位置に設定されている。
【００６２】
そして、第１および第２の回転ブラシ３０、３５の長手方向のある部分では、ある時期（例えば、図８における（ａ）〜（ｃ）の時間帯）において、第１の清掃片３１が第２の回転ブラシ３５の保持条部３７ａに当接し、この保持条部３７ａが、第１の回転ブラシ３０の回転駆動に伴い、第１の清掃片３１によって回転方向の背面側から押圧されることにより、第２の回転ブラシ３５が第１の回転ブラシ３０により回転駆動される。そして、この第１の清掃片３１が第２の回転ブラシ３５の保持条部３７ａに当接する状態が終わり、ある時期（例えば、図８における（ｄ）の時間帯）、第１の清掃片３１と保持条部３７ａとは互いに離間しているが、やがて直に図８における（ａ）の状態に戻り、第１の清掃片３１が保持条部３７ａに当接し始める。このように、長手方向のある部分を取ってみた場合、１回転する間のほぼ半分の時間帯において、第１の清掃片３１が保持条部３７ａに当接する状態が維持されている。
【００６３】
しかも、このような第１の清掃片３１が保持条部３７ａに当接する状態が、図９における第１および第２の回転ブラシ３０、３５の長手方向のいずれかの位置（例えば、図９における（ｄ）〜（ｂ）の位置）において維持されている。そして、このように第１の清掃片３１が保持条部３７ａに当接した状態が、第１および第２の回転ブラシ３０、３５の回転に伴い、第１および第２の回転ブラシ３０、３５の外方（左右の端部側）から内方（中間位置側）に向けて変位していく。
【００６４】
このように構成された第１の回転ブラシ３０と第２の回転ブラシ３５とを有する掃除機用吸込具１５では、電動機２４（駆動源）による第１の回転ブラシ３０の回転駆動に伴い、第１の回転ブラシ３０の第１の清掃片３１が第２の回転ブラシ３５の保持条部３７ａに背面側から連続的に当接し、これを押圧することによって第１の回転ブラシ３０の回転駆動力が第２の回転ブラシ３５に伝達される状態が維持されるので、確実に第２の回転ブラシ３５を回転駆動させることができる。特に、第１の清掃片３１が第２の回転ブラシ３５の第２の清掃片３６を押圧する場合に比べて、保持条部３７ａが軸芯材３７に形成された硬質なものであるだけに、確実に回転駆動力が伝達されることになる。
【００６５】
以上に説明したように、本発明の構成によれば、連続的で確実な第１および第２の回転ブラシ３０、３５の回転により、被掃除面上の塵埃を第１の回転ブラシ３０と第２の回転ブラシ３５との間に弾き飛ばして、塵埃を外部に漏らすことなく確実に除塵することができ、このことによって掃除機用吸込具１５の塵埃除去性能を大幅に向上させることができる。しかも、第１および第２の回転ブラシ３０、３５の第１および第２の清掃片３１、３６が、それぞれ逆方向に開いた、長手方向の中央側に寄るに従って回転方向に対して後退角側に変位する略Ｖ字形状に形成されているため、被掃除面上の塵埃を吸塵力のより強い中央側に掻き上げ、より確実に外部に漏らすことなく除去することができる。
【００６６】
また、上記の実施の形態１では、第２の清掃片３６を構成する繊維状部３６ｂが、第２の回転ブラシ３５の長手方向の全幅域において連続的に形成されている例を示したが、この繊維状部３６ｂが、複数の繊維束として断続的に形成されている場合には、第２の清掃片３６における繊維状部３６ｂの繊維の本数は、第１の清掃片３１における繊維状部３１ｂの繊維の本数より少なく、第２の清掃片３６においては第１の清掃片３１に比較して繊維状部３６ｂの腰が弱く、撓みやすくなる。このため、回転駆動された時における第２の清掃片３６と被掃除面との接触抵抗が、第１の清掃片３１と被掃除面との接触抵抗より小さく設定されることになり、第２の回転ブラシ３５に加わる負荷が減り、それにより第２の回転ブラシ３５を回転駆動する第１の回転ブラシ３０に加わる負荷も減り、第１および第２の回転ブラシ３０、３５が効率よく回転し、塵埃除去性能を大幅に向上させることができる。
【００６７】
また、第２の回転ブラシ３５の第２の清掃片３６の腰が弱く、絨毯上でも容易に撓んで、第２の清掃片３６と被掃除面との接触抵抗が第１の清掃片３１と被掃除面との接触抵抗より小さくなるので、第２の回転ブラシ３５に加わる負荷が減り、それにより第２の回転ブラシ３５を回転駆動する第１の回転ブラシ３０に加わる負荷も減り、第１および第２の回転ブラシ３０、３５を効率よく回転されて、塵埃除去性能を大幅に向上させることができる。
【００６８】
また、電動機２４で回転駆動される第１の回転ブラシ３０を前方側に、第２の回転ブラシ３５を後方側にそれぞれ配し、運転時に第１の回転ブラシ３０を、吸込具本体１６を前進させる方向に回転させ、第２の回転ブラシ３５を第１の回転ブラシ３０の回転方向と逆方向に回転させるようにしているので、掃除機用吸込具１５を前方方向に移動させる力が効率よく、且つ強力に被掃除面に作用し、絨毯上であっても、掃除機用吸込具１５を軽く操作できる。
【００６９】
（実施の形態２）
本発明の実施の形態２に係る掃除機用吸込具１５’について、図１０を用いて説明する。図１０は、本発明の実施の形態２における掃除機用吸込具の断面図である。なお、上記実施の形態１と同一部分については、同一符号を付してその説明を省略する。
【００７０】
本実施の形態２における掃除機用吸込具１５’においては、図１０に示すように、第１の回転ブラシ４０に複数条の第１の清掃片４１が、長手方向の一端側から他端側に寄るに従って回転方向に対して後退角側に変位する略螺旋状に形成されるとともに、第２の回転ブラシ４５に複数条の第２の清掃片４６が、第１の回転ブラシ４０の第１の清掃片４１と逆形状の略螺旋状に形成されており、第２の回転ブラシ４５の保持条部が、第１の回転ブラシ４０の回転駆動に伴い、第１の清掃片４１により背面側から押圧されて、第２の回転ブラシ４５が第１の回転ブラシ４０とは逆方向に円滑に回転駆動される。
【００７１】
なお、この掃除機用吸込具１５’の第１および第２の回転ブラシ４０、４５において、第１および第２の清掃片４１、４６がそれぞれ略螺旋形状に形成される以外の点については、上記の実施の形態１に示された第１および第２の清掃片３１、３６と同様である。すなわち、第１の回転ブラシ４０は、軸芯材３２と同様の断面形状を有する軸芯材４２（ただし、リブ条部、鍔条部、支持条部等が軸心に対して略螺旋状に形成されている）を備え、第１の清掃片４１の基端部がこのリブ条部と鍔条部との間に形成された挿着空間内に挿着されるとともに、基端部から起毛された複数の繊維からなる繊維状部４１ｂが鍔条部から外方に突出している。また、第２の回転ブラシ４５は、軸芯材３７と同様の断面形状を有する軸芯材４７（ただし、保持条部、溝条部等が軸心に対して第１の清掃片４１とは逆方向の略螺旋状に形成されている）を備え、第２の清掃片４６の基端部がこの溝条部に形成された挿着空間内に挿着されるとともに、基端部から起毛された複数の繊維からなる繊維状部４６ｂが溝条部から外方に突出している。
【００７２】
このように構成された掃除機用吸込具１５’にあっても、第１の清掃片４１を有する第１の回転ブラシ４０が回転駆動される際に、この第１の清掃片４１が、第２の回転ブラシ４５の軸芯材４７に形成された保持条部に背面側から当接し、この保持条部を背面側から押圧することにより、第２の回転ブラシ４５は、第１の回転ブラシ４０とは逆方向に円滑に且つ、確実に回転駆動されることになる。しかも、第１の清掃片４６が支持条部により背面側から支持され、第１の清掃片４１が第２の回転ブラシ４５の保持条部を背面側から押圧する際に、第１の清掃片４６が背面側あるいは側方側に撓むのを抑制しているため、全体として第２の清掃片４６の腰が弱く、したがって、連続的で円滑な第１および第２の回転ブラシ４０、４５の回転により、被掃除面上の塵埃を第１の回転ブラシ４０と第２の回転ブラシ４５との間に弾き飛ばして、塵埃を外部に漏らすことなく確実に吸引することができ、このことによって掃除機用吸込具１５’の塵埃除去性能を大幅に向上させることができる。
【００７３】
また、電動送風機２を有する掃除機本体１に、塵埃除去性能に優れた上記の掃除機用吸込具１５、１５’を接続することにより、操作性、掃除性能に優れた電気掃除機を提供することができることは言うまでもない。
【００７４】
（上記実施の形態における変形例）
以下、上記の実施の形態１および２に例示された掃除機用吸込具１５、１５’に対する変形例について説明する。
【００７５】
（清掃片の形状について）
上記の実施の形態１では、第１の回転ブラシ３０の第１の清掃片３１および第２の回転ブラシ３５の第２の清掃片３６が、長手方向の中央側に寄るに従って回転方向に対して後退角側に変位する略Ｖ字状に形成されていたが、第１の清掃片３１および第２の清掃片３６が、略Ｕ字状に形成されていてもよく、第２の回転ブラシ３５の略Ｕ字状に形成された保持条部３７ａが、第１の回転ブラシ３０の回転駆動に伴い、略Ｕ字状に形成された第１の回転ブラシ３０の第１の清掃片３１により連続的に押圧され、第２の回転ブラシ３５が回転駆動されるので、当然ながら、上記と同様の効果が得られる。
【００７６】
また、上記の実施の形態１では、第１の回転ブラシ３０の第１の清掃片３１ならびに第２の回転ブラシ３５の第２の清掃片３６における略Ｖ字形状が、それぞれ第１の回転ブラシ３０および第２の回転ブラシ３５の長手方向の中間点を挟んで左右対称となるように構成されているが、頂点が長手方向の中間点に丁度位置していなくてもよく（多少中間点から外れて位置していてもよく）、さらに、頂点を挟んで左右対称に形成されていなくてもよい。要は、軸方向への荷重バランスの変動を抑制することができれば、どのような略Ｖ字形状あってもよく、略Ｕ字形状やその他の形状であってもよい。
【００７７】
さらに、この略Ｖ字形状の頂点から、第１の回転ブラシ３０および第２の回転ブラシ３５の端部側に移行するにしたがって前進角側に変位する第１の清掃片３１および第２の清掃片３６の配列線を平面上に展開したときに、この配列線が必ずしも直線状に形成される必要はなく、途中で変曲点を有する曲線状に形成されていてもよい。このように、上記の実施の形態１に示された配列形状から多少外れた略Ｖ字形状あるいは略Ｕ字形状であっても、軸方向への荷重バランスの変動を抑制することができ、第１および第２の回転ブラシ３０、３５を効率よく回転させることができ、塵埃除去性能を向上させることができる。ただ、最良の効率、性能向上を求めるならば、実施の形態１に示された配列形状とすることが望ましい。
【００７８】
なお、第１および第２清掃片３１、３６のいずれか一方が略Ｖ字状に形成され、他方が略Ｕ字状に形成されてもよく、また、双方が同じ略Ｖ字状または略Ｕ字状であって、若干曲率形状等の異なる略Ｖ字状または略Ｕ字状に形成されてもよい。
【００７９】
上記の実施の形態１では、第１の回転ブラシ３０の第１の清掃片３１および第２の回転ブラシ３５の第２の清掃片３６が、長手方向の中央側に寄るに従って回転方向に対して後退角側に変位する略Ｖ字状に形成され、実施の形態２では、長手方向の一端側から他端側に寄るに従って回転方向に対して後退角側に変位する略螺旋状に形成されていたが、本発明に係る第１の回転ブラシ３０および第２の回転ブラシ３５では、それらの清掃片３１、３６が、長手方向の中央側に寄るに従って回転方向に対して後退角側および／または前進角側に連続的に変化する形状に形成されていればよい。すなわち、上記の略Ｖ字状や略Ｕ字状、略螺旋状のほか、略Ｗ字状であってもよく、波打ち状であってもよく、その形状は任意に設定されることができる。第１の回転ブラシ３０および第２の回転ブラシ３５がこのように構成されることにより、第２の回転ブラシ３５の保持条部３７ａが、第１の清掃片３１により背面側から押圧されて、第２の回転ブラシ３５が第１の回転ブラシ３０とは逆方向に円滑に回転駆動されることになる。したがって、連続的で円滑な第１および第２の回転ブラシ３０、３５の回転により、被掃除面上の塵埃を第１の回転ブラシ３０と第２の回転ブラシ３５との間に弾き飛ばして、塵埃を外部に漏らすことなく確実に除塵することができ、このことによって掃除機用吸込具１５の塵埃除去性能を大幅に向上させることができる。
【００８０】
そして、さらに、第１および第２の清掃片３１、３６の形状が、第１および第２の回転ブラシ３０、３５の長手方向の中間点を挟んで左右対称に形成されていれば、第１の回転ブラシ３０および第２の回転ブラシ３５の軸方向に加わる荷重（スラスト荷重）の変動をなくし、荷重バランスに変化を生じることがなく、したがって、掃除機用吸込具１５の塵埃除去性能とともに走行性能をも向上させることができる。
【００８１】
また、第１および第２の清掃片３１、３６が、長手方向の中央側に寄るに従って回転方向に対して後退角側および／または前進角側に連続的に変化する形状に形成されるときの後退角側および／または前進角側への最大の変位量（変位角）は、第１および第２の清掃片３１、３６の条数とともに、任意に設定されればよい。第２の回転ブラシ３５の保持条部３７ａが、第１の清掃片３１により背面側から連続的に押圧されて、第２の回転ブラシ３５が第１の回転ブラシ３０とは逆方向に円滑に回転駆動されるようであれば、第１および第２の清掃片３１、３６における後退角側および／または前進角側への最大の変位量（変位角）は、どのように設定されてもよい。
【００８２】
（軸芯材の断面形状について）
上記の実施の形態１および２では、第１の回転ブラシ３０および第２の回転ブラシ３５の軸芯材３２、３７は中空の円管状のものを用いたが、これに限らず、中空の多角管状のもの、中実の断面視円形または多角形の棒状のものなどを使用できる。また、管状、棒状に係らず、軸芯材３２、３７の表層側に、上記の実施の形態１および２において示した装着空間３３、３８に類似の溝条部を軸芯材３２、３７の長手方向に沿って形成し、この溝条部に清掃片３１、３６の基端部３１ａ、３６ａを挿着することにより第１の回転ブラシ３０および第２の回転ブラシ３５を構成してもよい。この場合には、軸芯材３２、３７にリブ条部３２ａ、３７ａなどを形成する必要はなくなる。
【００８３】
（清掃片の条数について）
上記の実施の形態１および２では、第１の回転ブラシ３０の軸芯材３２に３条の第１の清掃片３１が挿着されるとともに、第２の回転ブラシ３５の軸芯材３７にも３条の第２の清掃片３６が挿着されているが、第１の清掃片３１および第２の清掃片３６の数についてはそれぞれ３条に限定されることなく、２条あるいは４条以上であってもよい。この第１の清掃片３１および第２の清掃片３６の条数によって、第１の清掃片３１および第２の清掃片３６の軸芯材３２、３７におけるリブ条部３２ａ、３７ａや鍔条部３２ｂ、３７ｂの数や形状、あるいは、さらに、第１の清掃片３１および第２の清掃片３６における略Ｖ字状または略Ｕ字状の形状、すなわち、略Ｖ字形状または略Ｕ字形状における頂点の後退角または前進角（最大の変位角）等が適宜設定されることになる。
【００８４】
（第１の清掃片へのブレード状部の適用について）
上記の実施の形態１および２では、第１の清掃片３１が基端部３１ａに起毛された複数の繊維からなる繊維状部３１ｂを備えて構成されていたが、このような第１の清掃片３１に代えて、基端部３１ａから延出される板状のブレード状部を備えて構成されるものや、基端部３１ａから延出された板状のブレード状部と、このブレード状部から起毛された複数の繊維からなる繊維状部とを備えて構成されるものを用いてもよい。このようなブレード状部は、柔軟性と形状復帰性を有する材料により形成されるものであり、このようなブレード状部を有する第１の清掃片は、単に繊維状部３１ｂを有する第１の清掃片３１よりも容易に腰の強いものとすることが可能であり、掃除機用吸込具１５の自走性および塵埃除去性能を向上させることができる。
【００８５】
（繊維状部の繊維の本数、太さおよび突出代について）
上記の実施の形態１および２では、第２の回転ブラシ３５の第２の清掃片３６を構成する繊維状部３６ｂが、第２の回転ブラシ３５の長手方向に沿って間引かれ、複数の繊維束３６ｃとして断続的に形成され、この複数の繊維束３６ｃが、複数条の第２の清掃片３６において互いに重複しながらそれぞれの起毛位置をずらして、全体として第２の回転ブラシ３５の長手方向の全幅域をカバーするように構成していたが、このような第２の清掃片３６に代えて、第２の清掃片３６の繊維状部３６ｂに繊維束３６ｃを形成せずに繊維の本数を全体に減らし、第１の清掃片３１の繊維状部３１ｂにおける繊維の本数より少なくしてもよい。また、このような第２の清掃片３６に代えて、あるいは、複数の繊維束３６ｃとして断続的に形成される特徴に加えて、第２の清掃片３６の繊維状部３６ｂを構成する繊維の太さを、第１の清掃片３１の繊維状部３１ｂを構成する繊維の太さより細くしてもよい。
【００８６】
さらに、上記の実施の形態１および２では、第２の清掃片３６の繊維状部３６ｂの鍔状部３７ｂからの突出代を第１の清掃片３１の繊維状部３１ｂの鍔状部３２ｂからの突出代と略同等とし、第２の清掃片３６における繊維状部３６ｂの突出代が、第１の清掃片３１における繊維状部３１ｂの突出代より長く設定されてもよい。いずれの形態を採っても、回転駆動された時における第２の清掃片３６と被掃除面との接触抵抗が、第１の清掃片３１と被掃除面との接触抵抗より小さく設定されることになり、第２の回転ブラシ３５に加わる負荷が減り、それにより第２の回転ブラシ３５を回転駆動する第１の回転ブラシ３０に加わる負荷も減り、第１および第２の回転ブラシ３０、３５が効率よく回転し、塵埃除去性能を大幅に向上させることができる。
【００８７】
（第１の回転ブラシの配置について）
上記の実施の形態１および２では、電動機２４で回転駆動される第１の回転ブラシ３０を回転ブラシ収容空間１８ａの前方側に配し、第２の回転ブラシ３５を回転ブラシ収容空間１８ａの後方側に配していたが、このような配置に代えて、電動機２４で回転駆動される第１の回転ブラシ３０を回転ブラシ収容空間１８ａの後方側に配し、第２の回転ブラシ３５を回転ブラシ収容空間１８ａの前方側に配してもよい。このように構成した場合、運転時に第１の回転ブラシ３０を逆転駆動、すなわち掃除機用吸込具１５、１５’の前方向への移動に逆らう方向に回転させるとともに、第２の回転ブラシ３５を第１の回転ブラシ３０の回転方向と逆方向に回転させることになる。なお、このような場合においても、第１の回転ブラシ３０の第１の清掃片３１は、長手方向の中央側に寄るに従って回転方向に対して後退角側に変位する略Ｖ字状または略Ｕ字状に形成されるとともに、第２の回転ブラシ３５の第２の清掃片３６は、第１の回転ブラシ３０の第１の清掃片３１と逆形状の略Ｖ字状または略Ｕ字状に形成されるものとする。
【００８８】
上記構成により、被掃除面が絨毯の場合は、電動機２４によって回転駆動される第１の回転ブラシ３０によって絨毯上の塵埃が確実に第１の回転ブラシ３０と第２の回転ブラシ３５との間に弾き飛ばされるので、塵埃が外部に漏れることなく確実に吸引されるとともに、第２の回転ブラシ３５の第２の清掃片３６は腰が弱いので、絨毯表面に当たって容易に撓み、第２の回転ブラシ３５を回転駆動する第１の回転ブラシ３０の回転を抑制することがない。また、被掃除面が木床などの場合は、第１の回転ブラシ３０の第１の清掃片３１の被掃除面から受ける負荷が軽いので、第１の回転ブラシ３０が強力に回転し、それによって第２の回転ブラシ３５も効率よく回転し、被掃除面上の塵埃を第２の回転ブラシ３５と第１の回転ブラシ３０の間に寄せながら、拭き磨き効果も遺憾なく発揮することができる。
【産業上の利用可能性】
【００８９】
以上のように、本発明にかかる掃除機用吸込具は、第１および第２の回転ブラシが効率よく回転し、塵埃除去性能に優れたもので、家庭用、業務用、店舗用の各種電気掃除機に使用することができる。
【図面の簡単な説明】
【００９０】
【図１】本発明の実施の形態１における掃除機用吸込具を接続した電気掃除機の全体斜視図である。
【図２】本発明の実施の形態１における掃除機用吸込具の外観斜視図である。
【図３】本発明の実施の形態１における掃除機用吸込具の底面側から見た斜視図である。
【図４】本発明の実施の形態１における掃除機用吸込具の下ケースを外し、底面側から見た平面図である。
【図５】本発明の実施の形態１における掃除機用吸込具の断面図である。
【図６】本発明の実施の形態１における掃除機用吸込具の第１および第２の回転ブラシの底面側から見た斜視図（吸込具本体から取り外した状態）である。
【図７】本発明の実施の形態１における掃除機用吸込具の第１および第２の回転ブラシの拡大断面図である。
【図８】本発明の実施の形態１における掃除機用吸込具の第１および第２の回転ブラシの回転駆動状態の時間的変化を示す断面図である。
【図９】本発明の実施の形態１における掃除機用吸込具の第１および第２の回転ブラシの斜視図と軸方向の各位置における回転駆動状態を示す断面図である。
【図１０】本発明の実施の形態２における掃除機用吸込具の底面側から見た斜視図である。
【図１１】従来の掃除機用吸込具のある実施形態を示す断面図である。
【図１２】従来の掃除機用吸込具の他の実施形態を示す断面図である。
【符号の説明】
【００９１】
１    掃除機本体
１５    掃除機用吸込具
１６    吸込具本体
１７    本体ケース
１８    開口部
１８ａ  回転ブラシ収容空間
２４    電動機（駆動源）
３０    第１の回転ブラシ
３１    第１の清掃片
３１ａ  基端部
３１ｂ  繊維状部
３２    軸芯材
３２ａ  リブ条部
３２ｂ  鍔条部
３２ｃ  溝条部
３２ｄ  支持条部
３５    第２の回転ブラシ
３６    第２の清掃片
３６ａ  基端部
３６ｂ  繊維状部
３７    軸芯材
３７ａ  保持条部
３７ｂ  溝条部
【図１】
2008220520.tif 000003
【図２】
2008220520.tif 000004
【図３】
2008220520.tif 000005
【図４】
2008220520.tif 000006
【図５】
2008220520.tif 000007
【図６】
2008220520.tif 000008
【図７】
2008220520.tif 000009
【図８】
2008220520.tif 000010
【図９】
2008220520.tif 000011
【図１０】
2008220520.tif 000012
【図１１】
2008220520.tif 000013
【図１２】
2008220520.tif 000014